(57)【要約】      （修正有）【課題】人畜無害な粉末剤を使用した粉末訓練用消火器を提供する。【解決手段】粉末訓練用消火器１、粉末剤（小麦粉・片栗粉・シッカロールなど）２、空気入れ３、じょうご４、スパナ７、からなる部品が、収納ケース部に収納固定され、収納ケース部に対して蓋部が設けられた収納ケース５に収納することを特徴とする。【選択図】図２
0003166643.tif 000002
【実用新案登録請求の範囲】
【請求項１】
粉末消火（公序良俗違反につき、不掲載）、粉末剤（小麦粉・片栗粉・シッカロールなど）、（公序良俗違反につき、不掲載）用空気入れ、じょうご、スパナ、からなる部品が、収納ケース部に収納固定され、収納ケース部に対して蓋部が設けられたことを特徴とする。模擬粉末消火を体験する装置一式である。
【考案の詳細な説明】
【技術分野】
【０００１】  この考案は、防災訓練や自衛消防訓練等の際に使用する模擬粉末消火を体験する装置に関するものです。
【背景技術】
【０００２】  現在市販されている消火器は、粉末消火器が主流となっているにもかかわらず、従来の体験用模擬消火器は、水が出る装置になっています。
従来の体験用模擬消火器により、水を噴射して訓練を長期間重ねると、消火器は、水を噴射するものと誤解し、実際の火災時に粉末剤がでて、驚いて使用されない可能性が十分あります。【０００３】また、現在は、環境汚染の問題や、公害の問題などから、実際に粉末消火器を噴射した訓練が極端に少なくなってきている状況にもあります。
このようなことから、「実際に粉末消火器を噴射した訓練経験がない」また、「実際に粉末消火器を噴射した訓練を見たこともない」という若い人たちが増加している現状にもあります。
【考案の概要】
【考案が解決しようとする課題】
【０００４】（公序良俗違反につき、不掲載）【０００５】（公序良俗違反につき、不掲載）
【課題を解決するための手段】
【０００６】（公序良俗違反につき、不掲載）
【考案の効果】
【０００７】（公序良俗違反につき、不掲載）【０００８】このことにより、各地域で行われる防災訓練をはじめ、今後高層化、大規模化、深層化する建物における自衛消防訓練時においても実態に即した初期消火訓練ができるようになります。今後多くの方々が、現実に即した初期消火体験をすることができることにより、火災よる死者の減少につなげることが期待できます。
【図面の簡単な説明】
【０００９】
【図１】本考案の収納ケース全体を示した斜視図であります。
【図２】本考案の収納ケース内部を示した斜視図であります。
【考案を実施するための形態】
【実施例】
【００１０】（公序良俗違反につき、不掲載）【００１１】（公序良俗違反につき、不掲載）
【符号の説明】
【００１２】（公序良俗違反につき、不掲載）
【図１】
0003166643.tif 000003
【図２】
0003166643.tif 000004
【手続補正書】
【提出日】平成22年11月22日(2010.11.22)
【手続補正１】
【補正対象書類名】実用新案登録請求の範囲
【補正対象項目名】請求項１
【補正方法】変更
【補正の内容】
【請求項１】
粉末訓練用消火器、模擬粉末剤としての小麦粉・片栗粉・シッカロール、空気入れ、じょうご及びスパナからなる部品が、収納ケース部のそれぞれの部品の形状に合わせて形成された収納溝にしっかりと収納固定され、収納ケース部に対し蓋部を設け、持ち運びを便利にしたことを特徴とする模擬粉末消火を体験する装置。
【手続補正２】
【補正対象書類名】明細書
【補正対象項目名】０００４
【補正方法】変更
【補正の内容】
【０００４】  現在の消火器は、粉末消火器が主流となっているが、従来の訓練用模擬消火器は、水が出る装置になっている現状にあります。
そこで、この考案は、現在市販されている消火器は、粉末消火器が主流となっている現実を踏まえ、実際の粉末消火器から噴射される粉末と同じようにするため、従来の水が出る訓練用模擬消火器を一部改良して「人畜無害である模擬粉末剤（小麦粉・片栗粉・シッカロールのいずれか１点を使用する以下同じ）」を入れ粉末を噴射する訓練用模擬消火器として活用して，「粉末訓練用消火器」を考案したものであります。
【手続補正３】
【補正対象書類名】明細書
【補正対象項目名】０００５
【補正方法】変更
【補正の内容】
【０００５】  また、空気を入れる方式についても従来の訓練用模擬消火器は、コンプレッサーで充填する方式とされていますが、携帯に便利な方式として、市販の「自転車用空気入れ」を活用し「空気入れ」とします。
さらには、「粉末訓練用消火器」・「模擬粉末剤」・「空気入れ」・「じょうごなど」の４点を収納できるケースも考案したものであります。
【手続補正４】
【補正対象書類名】明細書
【補正対象項目名】０００６
【補正方法】変更
【補正の内容】
【０００６】  課題を解決するために、第一考案は、現在の訓練用模擬消火器は水を噴射する方式になっていましたが、「人畜無害である模擬粉末剤（小麦粉・片栗粉・シッカロール）」を活用して、「粉末訓練用消火器」を考案することによって、粉末消火器が主流となっている現状に合わせた訓練ができることとなるものであります。
また、模擬粉末剤（小麦粉・片栗粉・シッカロール）を入れるため、体験用模擬消火器の注入口を直径４センチに改良します。第二考案は、現在１００Ｖ用コンプレッサー一式が必要とされていましたが、「自転車用空気入れ」を活用し「空気入れ」することで、携帯に便利なものとします。第三考案は「粉末訓練用消火器」・「模擬粉末剤」・「空気入れ」・「じょうご」などが収納できる収納ケースを考案し、コンパクトで携帯に便利なものとしました。
【手続補正５】
【補正対象書類名】明細書
【補正対象項目名】０００７
【補正方法】変更
【補正の内容】
【０００７】  第一考案・第二考案・第三考案によれば、消火器は、水を噴射するものと誤解がなくなるとともに、従来の訓練用模擬消火器は、水を噴射する方式のため水道水のあるところ、また、コンプレッサーで充填するため１００Ｖ用の電源のあるところを必要とされていましたが、粉末訓練用消火器は、「人畜無害である模擬粉末剤（小麦粉・片栗粉・シッカロール）」及び「空気入れ」を活用することにより水道水のあるところまた、コンプレッサーで充填するための１００Ｖ用電源のあるところを必要しません。
また、「粉末訓練用消火器」・「模擬粉末剤」・「空気入れ」・「じょうごなど」のが収納できるコンパクトで携帯に便利な収納ケース考案することにより、持ち運びがひとりでもできることを特徴とするものであります。さらには、模擬粉末剤（小麦粉・片栗粉・シッカロール）は、人畜無害で、安価で、どこでも手に入ることも重要なこととなります。
【手続補正６】
【補正対象書類名】明細書
【補正対象項目名】００１０
【補正方法】変更
【補正の内容】
【００１０】
【実施例】
以下、本考案の実施例を図面に基づいて説明します。
本考案は、図２に示すように、収納ケース５に収納される模擬消火器である粉末訓練用消火器１・小麦粉・片栗粉・あるいは、シッカロールを紙製の袋に入れた模擬粉末消火剤２空気入れ３模擬粉末消火剤を粉末訓練用消火器に入れるためのじょうご４模擬粉末消火剤を粉末訓練用消火器に入れる時に使用するスパナ７で構成される。これらの部品は、収納ケース５にそれらの部品の形状に合わせて形成された収納溝にしっかりと収納され固定される。収納ケース５は、これらの部品を収納ケース部と蓋部から構成され収納ケースには、取っ手６が取り付けてある。図１は、蓋部を閉じた状態を示す。
１  粉末訓練用消火器関係
粉末訓練用消火器１の内部に粉末剤として、小麦粉・片栗粉・シッカロールを粉末剤注入口１ａから、じょうご４を使用していれたあと、空気入れ部１ａ（４センチに改良）がついたねじを締め付ける。その後、空気入れ部１ａから、空気入れ３により、一定の空気圧をかける。これで使用可能となる。
２  空気入れ関係
空気入れ３は、自転車用空気入れを活用して、粉末訓練用消火器１の空気入れ部１ａより、一定の空気圧を入れるための用具として使用するものである。
３  収納ケース関係
（１）「粉末訓練用消火器」等の収納ケース５の材質については、アルミ材及び、プラスチックなどを使用して軽量化を最大限図る。
（２）収容ケース５の大きさは、縦６０ｃｍ、横７０ｃｍ、高さ２５ｃｍとして最小限の大きさとし、収納しやすく、持ち運びに便利なものとなる。
（３）「粉末訓練用消火器」用の収容ケース５の中に、「粉末訓練用消火器１」・「模擬粉末剤２」・「空気入れ３」「じょうご４」「スパナ７」を収納溝に固定して収納する。
【手続補正７】
【補正対象書類名】明細書
【補正対象項目名】００１１
【補正方法】変更
【補正の内容】
【００１１】    さらには、現在の訓練用模擬消火器は、水を噴射する方式になっていますが、「粉末訓練用消火器１」を考案したことにより、「人畜無害である粉末剤２（小麦粉・片栗粉・シッカロール）」を活用するため、粉末消火器が主流となっている現状に合わせた訓練ができるようになる。
充填用として、現在１００Ｖ用のコンプレッサー一式が必要となっていましたが、「自転車用空気入れ」を活用し「空気入れ」３としたことで、コンパクトなものとなることとなる。
「粉末訓練用消火器」１・「空気入れ」３「粉末剤」２・「じょうご４」「スパナ７」が収納できる収納ケースを考案したことにより、コンパクトで携帯に便利なものとしました。
【手続補正８】
【補正対象書類名】明細書
【補正対象項目名】００１２
【補正方法】変更
【補正の内容】
【００１２】１  粉末訓練用消火器
１ａ  粉末剤注入口並びに空気入れ部（同一場所となる。）
２  模擬粉末剤（小麦粉・片栗粉・シッカロール）
３  空気入れ
４  じょうご
５  収納ケース本体
６  取っ手
７  スパナ
【手続補正９】
【補正対象書類名】図面
【補正対象項目名】図１
【補正方法】変更
【補正の内容】
【図１】
0003166643.tif 000005